(57)【特許請求の範囲】
【請求項１】
受信電波から圧縮信号を復調する複数のチューナと、
前記チューナのいずれか１つにより復調された圧縮信号を復号する復号部と、
復号された信号を出力する出力部と、
任意のチャンネルの１つを指定する選局部と、
前記チャンネルの嗜好度、又は各チャンネルにおいて放送中のコンテンツの嗜好度に基づいて各チャンネルに付与されるランキングデータを保持する嗜好情報データベースと、
前記複数のチューナの１つに前記選局部により選局されたチャンネルを割り当てると共に残りの前記チューナに前記ランキングデータに従ってチャンネルを割り当てるチューナ割当部と
を備え、
前記復号部は前記選局されたチャンネルを割り当てられたチューナの出力信号の復号を行うように構成され、
前記選局部は、複数桁を有するチャンネル番号の上位桁の番号を選択した後、順に下位桁の番号を選択することにより選局を行うことが可能に構成され、
前記チャンネル嗜好情報データベースは、前記上位桁が共通するチャンネル間における前記ランキングデータを保持しており、
前記チューナ割当部は、前記上位桁の番号が前記選局部により選択された後、その番号に対応するチャンネルの中から高いランキングを与えられているチャンネルを前記チューナに割り当てる
ことを特徴とするディジタル放送受信装置。
【請求項２】
前記チューナ割当部は、前記選局部による選局がなされた後、選局されたチャンネルが前記複数のチューナのいずれかに割り当てられている場合には、そのチューナが出力する圧縮信号を前記復号部に復号化させるよう切替制御を実行すると共に、
選局されたチャンネルが前記複数のチューナのいずれかに割り当てられていない場合には、前記複数のチューナのいずれか１つにそのチャンネルを割り当てるように構成された
ことを特徴とする請求項１記載のディジタル放送受信装置。
【請求項３】
前記選局部は、現在表示中のチャンネルを、チャンネル番号が隣接するチャンネルに順次切り換えるチャンネル指示機構を備え、
前記チューナ割当部は、前記チャンネル指示機構から一定の期間内に連続で指示がされる場合においては、現在表示中のチャンネルと送り方向においてチャンネル番号が隣接する複数のチャンネルを前記チューナに順次割り当てる
ことを特徴とする請求項１記載のディジタル放送受信装置。
【発明の詳細な説明】
【技術分野】
【０００１】
本発明は、ディジタル放送受信装置に関する。
【背景技術】
【０００２】
近年、放送のディジタル化が進展しており、例えばＢＳディジタル放送は既に放送が開始されており、また、地上波ディジタル放送も都市部から段階的に導入が進んでおり、２０１１年までには地上波アナログ放送は完全に地上波ディジタル放送に置き換えられる予定である。放送のディジタル化により多チャンネル化も進展しており、視聴者にとってはチャンネルの選択の幅が益々広がっている。しかし、チャンネル選択の幅の拡大は、同時に視聴者にとって好みの番組を効率的に見つけることを困難にしており、視聴者にとって心的なストレスの原因となっている。このような問題に対応するため、ＴＶ受像機のリモコンにお好みの番組等のキーを登録可能にしたり、又はジャンル毎にキーを分類したりするなどして好みの番組選択を容易にする技術が開示されている（例えば、特許文献１参照）。
【０００３】
ところで、ディジタル放送では、映像や音声、データなどの個別のストリームを共通の信号形式で扱い、１つのストリームとして伝送するトランスポートストリームという多重信号形式を採用している。トランスポートストリームは、トランスポートパケット（ＴＳパケット）が複数個集まって構成される。ＴＳパケットは１８８ｂｙｔｅの固定長パケットであり、４ｂｙｔｅ固定長のパケットヘッダと、可変長のアダプテーションフィールド及びペイロードを含んでいる。ディジタル放送受信装置においては、このような信号にＯＦＤＭ復調・誤り訂正を実行し、ここから映像及び音声のＴＳパケットを分離した後、ＭＰＥＧ圧縮信号を復号化して映像及び音声信号を取得する。しかし、このＴＳパケットの分離、及びＭＰＥＧ圧縮信号の復号化に時間にはある程度の時間を要する。このため、ディジタル放送受信装置においては、周波数を切り換えるだけで切替後のチャンネルが直ちに表示されるアナログ放送受信装置に比べ、チャンネル切替後の表示が通常０．５〜２秒ほど遅く、その間画面がフリーズするなどの問題が生じている。このような切替速度の問題は、多チャンネル化が益々進展し、チャンネルを切り換える機会が多くなる状況では深刻な問題であり、上記の従来技術によって十分解決されるものではない。
【特許文献１】特開２００５−３３２６８号公報
【発明の開示】
【発明が解決しようとする課題】
【０００４】
この発明は、ディジタル放送においてチャンネル切替動作が行われる場合において、その実質的な切替速度を短くし、視聴者の心的ストレスを低減させることができるディジタル放送受信装置を提供することを目的とする。
【課題を解決するための手段】
【０００５】
本発明の一態様に係るディジタル放送受信装置は、受信電波から圧縮信号を復調する複数のチューナと、前記チューナのいずれか１つにより復調された圧縮信号を復号する復号部と、復号された信号を出力する出力部と、任意のチャンネルの１つを指定する選局部と、前記チャンネルの嗜好度、又は各チャンネルにおいて放送中のコンテンツの嗜好度に基づいて各チャンネルに付与されるランキングデータを保持する嗜好情報データベースと、前記複数のチューナの１つに前記選局部により選局されたチャンネルを割り当てると共に残りの前記チューナに前記ランキングデータに従ってチャンネルを割り当てるチューナ割当部とを備え、前記復号部は前記選局されたチャンネルを割り当てられたチューナの出力信号の復号を行うように構成され、前記選局部は、複数桁を有するチャンネル番号の上位桁の番号を選択した後、順に下位桁の番号を選択することにより選局を行うことが可能に構成され、前記チャンネル嗜好情報データベースは、前記上位桁が共通するチャンネル間における前記ランキングデータを保持しており、前記チューナ割当部は、前記上位桁の番号が前記選局部により選択された後、その番号に対応するチャンネルの中から高いランキングを与えられているチャンネルを前記チューナに割り当てることを特徴とする。
【発明の効果】
【０００６】
この発明によれば、ディジタル放送においてチャンネル切替動作が行われる場合において、その実質的な切替速度を短くし、視聴者の心的ストレスを低減させることができるディジタル放送受信装置を提供することができる。
【発明を実施するための最良の形態】
【０００７】
以下、本発明の実施の形態について図面を参照しながら説明する。
【０００８】
［第１の実施の形態］  図１は、本発明の第１の実施の形態に係るディジタル放送受信装置の全体構成を示すブロック図である。図１に示すように、この実施の形態のディジタル放送受信装置は、チューナ部１００と、ＭＰＥＧ復号部２００と、表示部３００と、スピーカ３５０と、チャンネル切替部４００とから構成されている。
【０００９】
チューナ部１００は、複数、例えば３つのＴＶチューナ１０１、１０２、１０３を備えている。複数のＴＶチューナ１０１、１０２、１０３は、いずれか１つが視聴者により選局されたチャンネルのチューニングを担当し、他のものは、後述する情報等に基づき、次に視聴者が選択する可能性の高いチャンネルのチューニングを担当する。
【００１０】
各ＴＶチューナ１０１〜１０３は、それぞれＯＦＤＭ（直交波周波数分割多重：orthogonal Frequency Division Multiplexing）復調器１１、誤り訂正器１２、及び多重分離器１３を備えている。ＯＦＤＭ復調部１１は、アンテナ１で受信された搬送波の中から”０”、”１”のディジタル信号を取り出す機能を有する。誤り訂正器１２は、伝送路で生じたディジタル信号の誤りをリード・ソロモン符号等により訂正し、放送局から送出されたＴＳパケットに戻す機能を有する。また、多重分離器１３は、誤り訂正後のＴＳパケットをから、選局されたチャンネルに係る映像信号及び音声信号を分離する機能を有する。
【００１１】
ＭＰＥＧ復号部２００は、複数のＴＶチューナ１０１〜１０３に対応して設けられた複数のＭＰＥＧ復号器２０１〜２０３を備えている。ＭＰＥＧ復号器２０１〜２０３は、多重分離部１３で分離されたＴＳパケットから映像信号及び音声信号を復号する機能を有する。この復号化された映像信号及び音声信号は、表示部３００及びスピーカ３５０に出力される。なお、ＴＶチューナ１０１〜１０３とＭＰＥＧ復号器２０１〜２０３との間は、スイッチング素子ＳＷ１〜ＳＷ２によりスイッチングされ、選局された映像及び音声信号のみが復号されるようになっている。
【００１２】
チャンネル切替部４００は、視聴者が好みのチャンネルを選択するための選局部４０１と、チャンネル嗜好情報データベース４０２とを備えている。チャンネル嗜好情報データベース４０２は、例えば図２に示すように、視聴者にとっての各チャンネルの嗜好度（例えば、視聴時間）を示すファクター、及びそのファクターに基づいて決定される各チャンネルのランキングのデータを保持したデータベースである。図３では、視聴時間の長いチャンネルほど高いランキングを付与されている。なお、視聴時間を含む嗜好度のデータ及びランキングのデータは、後述するように適宜更新される。
【００１３】
またチャンネル切替部４００は、この選局部４０１の選局信号とチャンネル嗜好情報データベース４０２のデータに基づき、ＴＶチューナ１０１〜１０３にチャンネルを割り当てるチューナ割当部４０３を備えている。すなわちチューナ割当部４０１は、選局部４０１で選局されたチャンネル（ここではチャンネル（８）とする）をＴＶチューナ１０１〜１０３のいずれか１つ（ここではＴＶチューナ１０１）に割り当てる。また、残りの２つのＴＶチューナ１０２、１０３には、チャンネル嗜好情報データベース４０２のデータに基づき、ランキングの高いチャンネル（ここでは、チャンネル（１０）及び（１）とする）を割り当てる。
【００１４】
更にチューナ割当部４０１は、ＴＶチューナ１０１〜１０３のうち、選局部４０１で選局されたチャンネルの復調等を担当するものを他と区別するためのカレントチャンネルデータ（”１”又は”０”）を付与する。選局され表示部３００に表示中のチャンネルを復調しているＴＶチューナ（この例では１０１）には、カレントチャンネルデータとして”１”を付与し、その他のＴＶチューナ（この例では１０２、１０３）には”０”を付与する。
【００１５】
またチャンネル切替部４００は、チューナ割当部４０３による各ＴＶチューナ１０１〜１０３へのチャンネルの割当状態を記憶するチャンネル割当状態記憶部４０４を備えている。チャンネル割当状態記憶部４０４は、例えばフラッシュメモリ等の不揮発性半導体記憶装置が好適である。チューナ割当部４０３は、チャンネルの割当の終了後、その割当に関するデータをチャンネル割当状態記憶部４０４に送信し、チャンネル割当状態記憶部４０４はこのデータを記憶する。新たに選局部４０１により選局が行われる度に、この記憶データは更新される。また、ディジタル放送受信装置の電源スイッチがＯＦＦにされ、再びＯＮにされた場合には、この記憶部４０４の記憶データが所謂「ラストチャンネルデータ」として利用され、電源オフ前の選局状態が再現される。
【００１６】
また、チャンネル切替部４００は、前述のスイッチング素子ＳＷ１〜ＳＷ３を切替制御してＴＶチューナ１０１〜１０３のいずれか１つをＭＰＥＧ復号器２０１〜２０３に接続するための切替制御部４０５を備えている。
【００１７】
切替制御部４０５は、チューナ割当部４０３からの切替信号の入力を受け、カレントチャンネルデータ”１”を与えられたＴＶチューナ１０１〜１０３のいずれか１つに接続されたスイッチング素子ＳＷ１〜ＳＷ３を非導通状態から導通状態に切り換える。
【００１８】
また、チャンネル切替部４００は、タイマ４０６及びデータ更新部４０７を備えている。タイマ４０６は、選局部４０１により１つのチャンネルが選局され、次のチャンネルの選局があるまでの間の時間Ｔを計測する。そしてデータ更新部４０７は、この計測された時間Ｔに基づき、チャンネル嗜好情報データベース４０２のデータを更新する。
【００１９】
この実施の形態のディジタル放送受信装置の動作を、図４の流れ図を参照して説明する。ディジタル放送受信装置の電源スイッチがＯＮに切り替わると（Ｓ１）、チューナ割当部４０３は、まずチャンネル割当状態記憶部４０４の記憶データを読み出す（Ｓ２）。このとき、チャンネル割当状態記憶部４０４には、前回電源スイッチがオフにされる直前のチャンネル割当状態（電源オフ直前に見ていたチャンネル（ラストチャンネル）を含む）のデータが記憶されている。ここでは、図５（Ａ）に示すように、前回電源スイッチがオフされる直前において、ＴＶチューナ１０１〜１０３にそれぞれチャンネル（８）、（１０）、（１）が割り当てられ、ＴＶチューナ１０１によりチャンネル（８）が視聴されていたものと考える。このチャンネル割当状態のデータがチャンネル割当状態記憶部４０４から読み出され、各ＴＶチューナ１０１〜１０３に割り当てられる（Ｓ３）。これにより、電源スイッチをオフとする直前でのチャンネル割当状態が、電源スイッチのＯＮの後再現される。
【００２０】
その後、選局部４０１において、新たにチャンネル（１０）が選局された場合（Ｓ４）、チューナ割当部４０３は、この新規に選局されたチャンネル（１０）が、現在各ＴＶチューナ１０１〜１０３により現在復調されているか否かを、チャンネル割当状態記憶部４０４のデータを読むことにより確認する（Ｓ５）。
【００２１】
図５（Ａ）に示すように、チャンネル（１０）は既にＴＶチューナ１０２に割り当てられている。そこでチューナ割当部４０３は、図５（Ｂ）に示すように、そのＴＶチューナ１０２のカレントチャンネルデータを”０”から”１”に切り替え、他のＴＶチューナ１０１、１０３のカレントチャンネルデータを”０”にする。このカレントチャンネルデータの切り替わりに対応して、切替制御部４０５に切替信号を送信して（Ｓ６）、スイッチング素子ＳＷ１をＯＮに、その他スイッチング素子ＳＷ１，ＳＷ３をＯＦＦに切り替えさせる。これにより、チャンネル（８）に代わり、チャンネル（１０）の視聴が可能となる。この場合、チャンネル（１０）の映像及び音声信号の復調、誤り訂正、多重分離等はチャンネル選局動作（Ｓ４）の前、すなわちチャンネル（８）の視聴中から並行して行われている。従って、表示部３００におけるチャンネル（１０）の表示は、チャンネル（１０）の選局動作後、従来要していた復調、復号等の時間の経過を待つことなく速やかに行われる。
【００２２】
続いてチューナ割当部４０３は、チャンネル嗜好情報データベース４０２よりランキングデータを取得し（Ｓ７）、ＴＶチューナ１０２以外の余っているＴＶチューナ１０１、１０３に、ランキングの高いチャンネルを割り当てる（Ｓ８）。ここでは、チャンネル（８）及び（１）が割り当てられる。このようにして全てのＴＶチューナ１０１〜１０３にチャンネルの割当が完了すると、チューナ割当部４０３はその割当情報をチャンネル割当状態記憶部４０４に上書きして、チャンネル割当状態記憶部４０４の記憶データを更新する（Ｓ９）。
【００２３】
次に、選局部４０１において、新たにチャンネル（６）が選局された場合（Ｓ１０）、チューナ割当部４０３は、この新規に選局されたチャンネル（６）が、現在各ＴＶチューナ１０１〜１０３により復調されているか否かを、チャンネル割当状態記憶部４０４のデータを読むことにより確認する（Ｓ１１）。
【００２４】
図５（Ｂ）に示すように、チャンネル（６）はＴＶチューナ１０１〜１０３のいずれにも割り当てられていない。そこでチューナ割当部４０３は、図５（Ｃ）に示すように、例えばＴＶチューナ１０３に、チャンネル（１）に代えてチャンネル（６）を割り当てて、その映像及び音声信号の復調等を行わせる（Ｓ１２）。同時に、チューナ割当部４０３は、そのＴＶチューナ１０３のカレントチャンネルデータを”０”から”１”に切り替え、他のＴＶチューナ１０１、１０２のカレントチャンネルデータを”０”にする。このカレントチャンネルデータの切り替わりに対応して、切替制御部４０５に切替信号を送信して（Ｓ１３）、スイッチング素子ＳＷ３をＯＮに、その他スイッチング素子ＳＷ１，ＳＷ２をＯＦＦに切り替えさせる。これにより、チャンネル（１０）に代わり、チャンネル（６）の視聴が可能となる。ただしこの場合、チャンネル（６）の映像及び音声信号の復調等は選局動作後（Ｓ１０）から開始されるので、前述のチャンネル（１０）の選局の場合に比べ、選局動作から表示までの時間は長くなる。
【００２５】
続いてチューナ割当部４０３は、チャンネル嗜好情報データベース４０２よりランキングデータを取得し（Ｓ１４）、ＴＶチューナ１０３以外の余っているＴＶチューナ１０１、１０２に、ランキングの高いチャンネルを割り当てる（Ｓ１５）。ここでは、チャンネル（８）及び（１０）が割り当てられる。このようにして全てのＴＶチューナ１０１〜１０３にチャンネルの割当が完了すると、チューナ割当部４０３はその割当情報をチャンネル割当状態記憶部４０４に上書きして、チャンネル割当状態記憶部４０４を更新する（Ｓ１６）。
【００２６】
その後、ディジタル信号受信装置の電源スイッチがＯＦＦとされると（Ｓ１７）、データ更新部４０７は直前に視聴されていたチャンネルの視聴時間に基づいてチャンネル嗜好情報データベース４０２を更新し、動作を終了し、電源がオフとされる。次に電源スイッチがＯＮとされる場合においては、図５（Ｃ）に示すチャンネル割当状態のデータに基づいて、最初のチャンネル割当が行われる。
【００２７】
なお、上記の電源スイッチのＯＮ動作（Ｓ１）、及び選局動作（Ｓ４、Ｓ１０）の間、タイマ４０６は、選局されたチャンネル、又はラストチャンネルの視聴時間を計測する。計測された視聴時間のデータは、データ更新部４０７に送信され、データ更新部４０７は、このデータに基づいてチャンネル嗜好情報データベース４０２を更新する。ただし、データの更新は選局動作がなされる毎に行う必要はなく、例えばデータ更新部４０７にデータを蓄積しておき、所定時間毎に行っても良い。
【００２８】
このように、本実施の形態によれば、複数のＴＶチューナ１０１〜１０３の１つが選局されたチャンネルを割り当てられ、その他のＴＶチューナは、視聴時間が長く（ランキングが高く）、視聴者が選局する可能性が高いチャンネルを割り当てられる。このため、ランキングの高いチャンネルが選局された場合、チャンネルの切替時間を短くすることができる。ときにランキングが低いチャンネルが選択される場合もあり、その場合には従来と同様、チャンネルの切替時間として１．５〜２．０秒程度が必要となるが、平均的な切替時間は短くすることができる。一例としてランキングの高い上位３つのチャンネル（８）、（１）、（１０）を選択する確率が７５％、他のチャンネルを選択する確率が２５％である場合を考える。この場合、従来の装置においては、常にチャンネルの切替時間が１．５〜２．０秒である。これに対し本実施の形態の装置の場合、ランキング上位３つのチャンネルについてはチャンネルの切替時間が実質０秒で、下位のチャンネルは従来同様チャンネルの切替時間が１．５〜２．０秒である。しかし、平均的な切替時間は、１．５〜２．０×０．２５＝０．５秒であり、従来に比べ１／４となる。従って、視聴者の心的なストレスを軽減することができる。
【００２９】
［第２の実施の形態］  次に、本発明の第２の実施の形態に係るディジタル放送受信装置を、図６乃至８を用いて説明する。この実施の形態のディジタル放送受信装置の全体構成は、第１の実施の形態と同様、図１に示す通りであるので、詳細な説明は省略する。この実施の形態のディジタル放送受信装置は、チャンネル（０１）〜（９９）の９９のチャンネルが視聴可能であり、視聴者は、リモコン等により、まずチャンネル番号の１０の位の桁の番号を押し、続いて１の位の桁の番号を押すことにより、チャンネルを選局するようにされている。
【００３０】
またこの実施の形態では、図６に示すように、第１の実施の形態と同様に、各チャンネルのランキングのデータがチャンネル嗜好情報データベース４０２に格納されている。更にこの実施の形態では、図７に示すように、１０の位の番号が共通する複数のチャンネルの中でランキングの高いチャンネル（人気チャンネル）のデータが、嗜好情報データベース４０２に格納されている。例えば、チャンネル（０１）〜（０９）の１０個のチャンネルの中でランキングの高い３つのチャンネル（０５）、（０７）、（０８）を抽出して、「人気チャンネル」として図７に示すように格納する。この実施の形態では、このデータを用いて、チャンネルの切替時間を実質的に短縮している。
【００３１】
この実施の形態の動作を、図８のフローチャートを参照して説明する。ユーザが、チャンネルの選局のためチャンネルの１０の位の番号のボタンを押すと（Ｓ２１）、この１０の位の番号を有するチャンネルのうちでランキングの高い３つのチャンネルのデータが、チャンネル嗜好情報データベース４０２から読み出される（Ｓ２２）。ここでは、１０の位の番号として（４）が押されたと考えると、データベース４０２より、チャンネル（４０）〜（４９）の中ではランキングが高いチャンネル（４５）、（４６）、（４８）のチャンネル番号が読み出される。そして、このチャンネル（４５）、（４６）、（４８）がＴＶチューナ１０１〜１０３に割り当てられ（Ｓ２３）、ＴＶチューナ１０１〜１０３は、そのチャンネルの映像及び音声信号の復調等を開始する。
【００３２】
続いて、チャンネル番号の１の位の番号のボタンが押される（Ｓ２４）。このとき、Ｓ２１とＳ２４により確定的に選局されたチャンネルが、既にＴＶチューナ１０１〜１０３に割り当て済みであれば（Ｓ２５のＹ）、直ちにそのチャンネルの番組が表示部３００に表示され得る（Ｓ２６）。一方、選局されたチャンネル番号が既にＴＶチューナ１０１〜１０３に割り当て済みのチャンネルと異なるものである場合には（Ｓ２５のＮ）、ＴＶチューナ１０１〜１０３のいずれかに選択されたチャンネルを割り当てる（Ｓ２７）。このチャンネル割当を受けたＴＶチューナは復調動作等を開始し、例えば所要時間１．５〜２．０秒後には表示部３００での表示が開始される。
【００３３】
このような処理手順によれば、視聴者が選択する確率が高い人気チャンネルについては、チャンネルの切替時間が従来に比べ大幅に短縮される。一方、人気チャンネルでないチャンネルが選択された場合には、従来と同様のチャンネルの切替時間の経過を待つ必要がある。しかし、装置全体としての平均的なチャンネルの切替時間は、従来の場合に比べ短くなるのは、第１の実施の形態と同様である。なお、ここでは、チャンネル番号が０１〜９９の２桁番号である例を説明したが、本発明はこれに限定されるものではなく、３桁、或いはそれ以上の桁数のチャンネル番号が与えられている場合にも適用可能である。
【００３４】
［第３の実施の形態］  次に、本発明の第３の実施の形態に係るディジタル放送受信装置を、図９を用いて説明する。この実施の形態のディジタル放送受信装置の全体構成は、第１の実施の形態と同様、図１に示す通りであるので、詳細な説明は省略する。この実施の形態のディジタル放送受信装置は、選局部４０１において、いわゆるチャンネル送りボタン（１→３→４→６・・・のような順に、或いはその逆の順に、現在表示中のチャンネルを、チャンネル番号が隣接するチャンネルに順次切り換えるボタン）が一定期間内に連続で操作される場合におけるチャンネル切替速度を速めることを意図したものである。
【００３５】
チャンネル送り「＋」又は「−」ボタンが１回だけ短く押される場合は、第１の実施の形態と同様に、表示中のチャンネル（Ｎ）の次のチャンネル（Ｎ±１）と、チャンネル嗜好情報データベース４０２のデータによりランキングが高とされたチャンネルがＴＶチューナ１０１〜１０３に割り当てられる。
【００３６】
一方、現在表示中のチャンネルがチャンネル（Ｎ）であり、かつチャンネル送り「＋」又は「−」ボタンが連続に長く押される場合は、ランキングが高いチャンネルを割り当てるのに代えて、このチャンネル（Ｎ）に送り方向において番号が隣接するチャンネル（Ｎ±１）、（Ｎ±２）、（Ｎ±３）をＴＶチューナ１０１〜１０３に割り当てる。これにより、チャンネル送りボタンが連続的に長く押された場合におけるチャンネルの切替速度を早くすることができる。
【００３７】
続いて、図９を参照して、この実施の形態のディジタル放送受信装置の動作を説明する。チャンネル送り「＋」ボタンの押下によりチャンネル（Ｎ）が選局され、しかもその後チャンネル送り「＋」ボタンが連続して押し続けられている場合（Ｓ３１）、チューナ割当部４０３は、ランキングの高いチャンネルをＴＶチューナ１０１〜１０３に割り当てるのに代えて、選局されたチャンネル（Ｎ）と、チャンネル番号が送り方向において隣接する２つのチャンネル（Ｎ＋１）、（Ｎ＋２）をＴＶチューナ１０１〜１０３に割り当てる（Ｓ３２）。これにより、チャンネル送りボタン１０１が連続で押される場合において、ランキングの高低に関係なくチャンネル切替速度を速くすることができる。チャンネル送り「＋」ボタンの押下が中止されると（Ｓ３３）、その後は第１の実施の形態と同様に、選局されたチャンネルＭ、およびチャンネル嗜好情報データベース４０２によるランキング上位のチャンネルがＴＶチューナ１０１〜１０３にチューナ割当部４０３により割り当てられる（Ｓ３４）。チャンネル送り「−」ボタンの場合の動作も、送り方向が異なることを除けば図９と略同様である。
【００３８】
以上、発明の実施の形態を説明したが、本発明はこれらに限定されるものではなく、発明の趣旨を逸脱しない範囲内において、種々の置換、追加、削除等が可能である。例えば、上記実施の形態では、合計の視聴時間の長さでランキングを決定していたが、これに加えて、他のファクターも考慮してランキングを決定して、そのデータをチャンネル嗜好情報データベース４０２に格納してもよい。例えば上記実施の形態では、チャンネル毎の視聴時間に基づいてチャンネルの嗜好度を判定し、各チャンネルにランキングを付与していた。これに加えて、各チャンネルにおいて放送中のコンテンツの嗜好度に基づいて各チャンネルのランキングを決定し付与してもよい。例えば、視聴者が好むコンテンツのジャンルのデータを予め何らかの方法で取得しておき、このジャンルのコンテンツが放映中であるチャンネルがある場合には、そのチャンネルの視聴時間の長短に拘わらず、そのチャンネルのランキングを、その放映中に限り高くするようにしてもよい。
【００３９】
また例えば、以前はあまり視聴しなかった為低いランキングを有しているチャンネル（Ａ）を、たまたまここ数日はよく見ている、いう場合に、そのチャンネル（Ａ）のランキングを時限的に上げるようにすることも可能である。また、合計の視聴時間のランキングを、特定の日時別に作成し、このランキングに基づいてチャンネルの割当を行っても良い。例えば、あるチャンネル（Ｂ）は、普段はあまり見ないので低いランキングを有しているが、ある曜日のある時間帯に限って見ることが多い、という場合に、その曜日のその時間帯においては、そのチャンネル（Ｂ）のランキングが他の時間帯に比べ上げられている、といった設定も可能である。
【図面の簡単な説明】
【００４０】
【図１】本発明の第１の実施の形態に係るディジタル放送受信装置の全体構成を示すブロック図である。
【図２】図１のチャンネル嗜好情報データベース４０２に格納されるデータ構造の一例を示す。
【図３】チューナ割当部４０３の機能を説明している。
【図４】第１の実施の形態に係るディジタル放送受信装置の動作を示す流れ図である。
【図５】第１の実施の形態に係るディジタル放送受信装置の動作を説明している。
【図６】本発明の第２の実施の形態に係るディジタル放送受信装置におけるチャンネル嗜好情報データベース４０２に格納されるデータの一例を示す。
【図７】本発明の第２の実施の形態に係るディジタル放送受信装置におけるチャンネル嗜好情報データベース４０２に格納されるデータの一例を示す。
【図８】第２実施の形態に係るディジタル放送受信装置の動作を示すフローチャートである。
【図９】本発明の第３の実施の形態を説明している。
【符号の説明】
【００４１】
１００・・・チューナ部、  ２００・・・ＭＰＥＧ復号部、３００・・・表示部、  ３５０・・・スピーカ、  ４００・・・チャンネル切替部。
【図１】
0004744984.tif 000002
【図２】
0004744984.tif 000003
【図３】
0004744984.tif 000004
【図４】
0004744984.tif 000005
【図５】
0004744984.tif 000006
【図６】
0004744984.tif 000007
【図７】
0004744984.tif 000008
【図８】
0004744984.tif 000009
【図９】
0004744984.tif 000010